(57)【要約】      （修正有）【課題】電子機器を箱体に出し入れしたり、箱体内に電子機器を収容したときに適した電子機器用包装体を提供する。【解決手段】内部に収容された電子機器７を外部に露出しないよう覆う直方体型の収容袋２と、収容袋２の内外へ電子機器７を出し入れする開口部３と、開口部３の開閉を行うファスナー４とを備え、収容袋２を構成する複数のシート２ａ，２ｂのうち、少なくとも１枚のシート２ｂを、クッション性を有するものとする。収容袋２の相対向する２側面のそれぞれの外周に沿って矩形状の形状保持樹脂ワイヤー６ａを設ける。これにより、電子機器用包装体１を自立させることができ、さらにクッション性を有するシート２ｂからなる収容袋２によって、収容袋２に収容された電子機器７に対する振動を吸収することができ、電子機器７を段ボール箱８内に収容したときには、収容袋２を梱包材として兼用できる。【選択図】図２
2014172623.tif 000002
【特許請求の範囲】
【請求項１】
内部に収容された電子機器を外部に露出しないよう覆う直方体型の収容袋と、該収容袋の内外へ前記電子機器を出し入れする開口部と、該開口部の開閉を行うファスナーとを備えた電子機器用包装体であって、
前記収容袋は、複数のシートを積層して成形したものであり、該複数のシートのうち少なくとも１枚のシートを、クッション性を有するシートとし、
前記収容袋の相対向する２側面のそれぞれの外周に沿って矩形状に配置される形状保持樹脂ワイヤーを前記複数のシートの間に挟み込むようにして設けたことを特徴とする電子機器用包装体。
【請求項２】
内部に収容された電子機器を外部に露出しないよう覆う直方体型の収容袋と、該収容袋の内外へ前記電子機器を出し入れする開口部と、該開口部の開閉を行うファスナーとを備えた電子機器用包装体であって、
前記収容袋は、複数のシートを積層して成形したものであり、該複数のシートのうち少なくとも１枚のシートを、クッション性を有するシートとし、
前記収容袋の相対向する２側面のそれぞれの外周に沿って矩形状に配置されるストロー状のプラスチック性パイプを前記複数のシートの間に挟み込むようにして設けたことを特徴とする電子機器用包装体。
【請求項３】
前記複数のシートは、クッション性を有する不織布シートと、ポリエチレンシート又はポリプロピレンシートであることを特徴とする請求項１又は２に記載の電子機器用包装体。
【請求項４】
前記クッション性を有する不織布シートは、パルプ不織布シート又はポリエステル不織布シートであることを特徴とする請求項３に記載の電子機器用包装体。
【請求項５】
前記電子機器を段ボール箱等の箱体内に前記収容袋を介して収容したとき、該収容袋は梱包材として兼用できるものであることを特徴とする請求項１〜４の何れか１項に記載の電子機器用包装体。
【請求項６】
前記収容袋の内部であってその底面に、下敷を設けたことを特徴とする請求項１〜５の何れか１項に記載の電子機器用包装体。
【発明の詳細な説明】
【技術分野】
【０００１】
本発明は、電子機器を収容する電子機器用包装体に関し、特に、内部に電子機器を収容しなくても自立した状態で保持することができる電子機器用包装体に関する。
【背景技術】
【０００２】
従来より、電子機器や装飾品などの物品を包装するに際しては、一般的に物品自体をポリエチレン製などの透明や半透明な袋、所謂ビニール袋で密封して内装としている。こうした袋は、単に、防汚染性のみを目的としているため、帯電防止性、クッション性、ハンドリング性、耐圧性、耐久性が考慮されてはなく、物品を持ち運ぶときのバックとして使用することは、耐久性や装飾性の観点から実質使用されることはほとんどなく、物品が袋から取り出された後には、廃棄されることが実情となっている。
【０００３】
ところで、前記ビニール袋としての透明等の袋は、全体が薄いシートのみで形成され、非常に柔らかいことから、開口部を広げた状態で自立させることは困難で、袋から物品を出し入れするときには不便ということもあり、こうした不便な点を解消するため、例えば、特許文献１には、買い物袋等の袋に対して、形状保持ワイヤーを任意の間隔で平行に複数設けることにより、袋を自立した状態で保持できるようにした技術が開示されており、また、特許文献２には、買い物袋の縁に細い板バネを骨組みとして縫いこむことにより、自立できるようにした自動展開式買い物袋が開示されている。
【先行技術文献】
【特許文献】
【０００４】
【特許文献１】特開２０１１−２０６４９９号公報
【特許文献２】登録実用新案第３１４９１８５号公報
【発明の概要】
【発明が解決しようとする課題】
【０００５】
しかし、特許文献１及び特許文献２に示されている袋は、自立させた状態で保持することは可能であるものの、袋自体にクッション性は有していないことから、袋内に収容される物品を誤って落下させてしまったり、壁などにぶつけてしまったりすると、袋内の物品が簡単に破損することが考えられ、例えば、直方体形状の袋を落下させてしまった場合においては、袋の面方向からの衝撃に伴う潰れは比較的少なく、衝撃に伴う潰れの大半は角、稜部分が占める。この点で特許文献１及び特許文献２に示されている袋は角・稜部分における損傷対策が取られていないため袋の角潰れが簡単に発生することから、袋に収容される物品が、衝撃には弱い電子機器である場合、衝撃により電子部品が故障したり、故障しなくても、電子機器の外側を覆う装飾性を有するカバーが簡単に傷付いてしまうことがあり、袋内に収容された物品を衝撃から守りつつ、当該物品を袋から簡単に出したり入れたりできる利便性に優れたものが望まれていた。
【０００６】
また、例えば、タブレット型情報端末やスマートフォンなどの電子機器を店舗で購入する場合には、購入対象の電子機器は、店内で段ボール箱に収容された状態で保管されていることが一般的である。こうした電子機器は、段ボール箱内に、緩衝材を備えるか、仕切りを備えたうえで、前述したビニール袋等の内部に収納された状態で密封して梱包されていることがあるが、当該ビニール袋は、単なる収納袋として用いられるに過ぎず、梱包材としての機能を有するものはない。
【０００７】
本発明は、上記課題に鑑みてなされたものであり、電子機器を段ボール箱等の箱体に出し入れするのに便利であると共に、箱体内で電子機器を収容する収容袋を梱包材として兼用できる利便性に優れた電子機器用包装体を提供することを目的とする。
【課題を解決するための手段】
【０００８】
本電子機器用包装体の発明は、
内部に収容された電子機器を外部に露出しないよう覆う直方体型の収容袋と、該収容袋の内外へ前記電子機器を出し入れする開口部と、該開口部の開閉を行うファスナーとを備えた電子機器用包装体であって、
前記収容袋は、複数のシートを積層して成形したものであり、該複数のシートのうち少なくとも１枚のシートを、クッション性を有するシートとし、
前記収容袋の相対向する２側面のそれぞれの外周に沿って矩形状に配置される形状保持樹脂ワイヤーを前記複数のシートの間に挟み込むようにして設けたことを特徴とする。
【０００９】
本電子機器用包装体の発明は、
内部に収容された電子機器を外部に露出しないよう覆う直方体型の収容袋と、該収容袋の内外へ前記電子機器を出し入れする開口部と、該開口部の開閉を行うファスナーとを備えた電子機器用包装体であって、
前記収容袋は、複数のシートを積層して成形したものであり、該複数のシートのうち少なくとも１枚のシートを、クッション性を有するシートとし、
前記収容袋の相対向する２側面のそれぞれの外周に沿って矩形状に配置されるストロー状のプラスチック性パイプを前記複数のシートの間に挟み込むようにして設けたことを特徴とする。
【００１０】
さらに、本電子機器用包装体の発明は、
前記複数のシートは、クッション性を有する不織布シートと、ポリエチレンシート又はポリプロピレンシートであることを特徴とする。
【００１１】
さらに、本電子機器用包装体の発明は、
前記クッション性を有する不織布シートは、パルプ不織布シート又はポリエステル不織布シートであることを特徴とする。
【００１２】
さらに、本電子機器用包装体の発明は、
前記電子機器を段ボール箱等の箱体内に前記収容袋を介して収容したとき、該収容袋は梱包材として兼用できるものであることを特徴とする。
【００１３】
さらに、本電子機器用包装体の発明は、
前記収容袋の内部であってその底面に、下敷を設けたことを特徴とする。
【発明の効果】
【００１４】
本発明によれば、収容袋の相対向する側面の外周に沿って形状保持樹脂ワイヤー又はストロー状のプラスチック性パイプを、複数のシートの間に挟み込むようにして設けたことで、電子機器用包装体の収容袋内に電子機器等の物品を収容しない空の状態であっても、自立させた状態で保持させることができる。よって、電子機器用包装体の収容袋から、電子機器を容易に出し入れすることができる。
【００１５】
さらに、電子機器を収容した収容袋を、段ボール箱等の箱体から取り出して持ち運ぶとき、クッション性を有する不織布シートからなる収容袋により、当該収容袋に収容された電子機器に対する振動や衝撃等を吸収して緩和することができるから、ひいては、電子機器が故障や破損等することを防止することができる。しかも、段ボール箱等の箱体内に、電子機器を収容した状態の収容袋を収容することで、クッション性を有する収容袋を梱包材として兼用することができるから、コストを安価に抑えることが可能となり利便性にも優れる。
【００１６】
さらに、電子機器用包装体の収容袋に電子機器を収容しないときには、相対向する矩形状の形状保持樹脂ワイヤーを重ね合わせ、これに収容袋を重ねるようにして、電子機器用包装体をコンパクトに薄く畳むことができることから、収納性に優れ、持ち運びにも便利なものとなる。
【００１７】
さらに、収容袋の底面に厚紙や合成樹脂シート等の下敷を設けたことで、電子機器用包装体の自立性を向上でき、収容袋の底面の強度を向上することにもつながる。
【００１８】
さらに、収容袋の開口部に開閉自在なファスナーを設けることで、電子機器が外部に露出しないよう密閉することができることから、例えば、雨天時に電子機器を持ち運ぶときに、電子機器が濡れてしまわぬよう防止することができる。
【図面の簡単な説明】
【００１９】
【図１】実施例１の電子機器用包装体を示す斜視図である。
【図２】同上、収容袋に電子機器を収容した状態の電子機器用包装体を示す断面図であり、上部を開口させた段ボール箱内に電子機器用包装体を収容し、収容袋の開口部をファスナーで閉じた状態を表している。
【図３】同上、電子機器用包装体をコンパクトに畳んだ状態を示す説明図であり、（ａ）は正面図であり、（ｂ）は側面図である。
【図４】実施例２の電子機器用包装体を示す斜視図である。
【図５】同上、収容袋に電子機器を収容した状態の電子機器用包装体を示す断面図であり、上部を開口させた段ボール箱内に電子機器用包装体を収容し、収容袋の開口部をファスナーで閉じた状態を表している。
【発明を実施するための形態】
【００２０】
以下、本発明に係る実施例を図１〜図５により以下に説明する。もちろん、本発明は、その発明の趣旨に反しない範囲で、実施例において説明した以外の構成のものに対しても容易に適用可能なことは説明を要するまでもない。
【実施例１】
【００２１】
本発明の実施例１の電子機器用包装体１は、図１に示すように、６面からなる収容袋２と、該収容袋２の上面に形成された細隙状の開口部３と、開口部３に沿って設けられ該開口部を開閉するファスナー４とを備え、収容袋２内の底面には着脱自在な下敷５が敷設されている。
【００２２】
収納袋２の４側面のうち相対向する２側面には、それぞれの外周に沿って、矩形状（角環状）の形状保持樹脂ワイヤー６ａが配置され、当該形状保持樹脂ワイヤー６ａは、収容袋２を構成する後述する複数のシート２ａ，２ｂの間に挟み込まれるようにして設けられている。
【００２３】
複数のシート２ａ，２ｂからなる収容袋２は、複数のシート２ａ，２ｂを積層して一体成形したものであり、図２に示すように、内側シート２ａは透明なポリエチレンシートとなっており、外側シート２ｂは、クッション性を有するポリエステル不織布シートとなっている。そして、これらポリエチレンシートたる内側シート２ａとポリエステル不織布シートたる外側シート２ｂとからなる複数のシート間には、前述したように複数の形状保持樹脂ワイヤー６ａが挟み込まれるようにして設けられ、内側シート２ａ、外側シート２ｂ、及び形状保持樹脂ワイヤー６ａは一体に成形されている。
【００２４】
また、２つの矩形の相対向する形状保持樹脂ワイヤー６ａは、電子機器用包装体１を上方から視たとき、これらの長手方向とファスナー４の開閉方向とが同方向（平行）となるよう配置され、ファスナー４は、形状保持樹脂ワイヤー６ａ間の略中心に配設されている。そして、電子機器用包装体１を上方から視たときの形状保持樹脂ワイヤー６ａの長手方向とファスナー４の開閉方向とを同一にすることで、ファスナー４で開口部３を開閉する際、ファスナー４の開閉方向の両端側に設けられ収容袋２の側面同士が、近づくことがないよう規制することができるから、ファスナー４の開閉作業が容易となる。また、２つの相対向する形状保持樹脂ワイヤー６ａが、起立するようにして並設されていることで、これらが、電子機器用包装体１を自立させるときの脚部として機能し、収容袋２のシート厚さが薄くても、収納袋２内に電子機器７等の物品を収容しない状態、すなわち空の状態であっても電子機器用包装体１を自立させることができる。
【００２５】
次に、電子機器用包装体１の使用例について説明する。例えば、電子機器７をタブレット型情報端末として、販売店の店頭で消費者に対し販売する事例では、図２に示すように、電子機器用包装体１は、上部の開口部を開放させた状態の箱体たる段ボール箱８のその底面部に載置された状態で収容され、さらに、電子機器用包装体１の収容袋２には、タブレット型情報端末（電子機器７）が収容された状態で店頭に陳列される。そして、そのように陳列されたタブレット型情報端末（電子機器７）を消費者が購入した場合には、従来は、タブレット型情報端末（電子機器７）が段ボール箱８で密閉するようにして梱包されていたことから、実質再利用することのない前記段ボール箱８を持ち帰らなければならず、消費者は、帰宅後等に、煩わしい段ボール箱８やそれに付属する緩衝材、仕切り材の廃棄処分を行わざるを得ないという実情があったが、本実施例１の電子機器用包装体１は、段ボール箱８と共にタブレット型情報端末（電子機器７）を持ち帰らずに、耐衝撃性を備えた電子機器用包装体１に収容（包装）されたタブレット型情報端末（電子機器７）を、段ボール箱８から容易に取り出してそのまま持ち帰ることができることから、購入したタブレット型情報端末（電子機器７）を持ち帰るときに、嵩張ることなく持ち歩きすることが可能となり、さらに煩わしい段ボール箱８等の廃棄処分も行わなくて済む。そして、消費者が自宅に持ち帰るなどして、電子機器用包装体１からタブレット型情報端末（電子機器７）を取り出した後には、図３に示すように、相対向する矩形状の形状保持樹脂ワイヤー６ａを重ね合わせ、これに収容袋２と下敷５を重ねるようにして、電子機器用包装体１をコンパクトに薄く畳むことができることから、邪魔になることもなく再利用できるといった効果を奏することが可能となる。なお、前記説明では、収容袋２に収容されるものを、タブレット型情報端末（電子機器７）であるとして説明したが、タブレット型情報端末（電子機器７）だけでなく、図示は省略しているが、これに付属する付属品、すなわち、電源ケーブル、取扱説明書を含んで、収容袋２内に収容しても良いことは言うまでもない。
【００２６】
以上のように、本実施例１の電子機器用包装体１によれば、収容袋２の相対向する側面の外周に沿って形状保持樹脂ワイヤー６ａを、複数のシート２ａ，２ｂの間に挟み込むようにして設けたことで、電子機器用包装体１の収容袋２内に電子機器７等の物品を収容しない空の状態であっても、自立させた状態で保持させることができる。よって、電子機器用包装体１の収容袋２から、電子機器７等の物品を容易に出し入れすることができる。
【００２７】
さらに、電子機器７を収容した収容袋２を、段ボール箱８等の箱体から取り出して持ち運ぶとき、クッション性を有する不織布シートである外側シート２ｂからなる収容袋２により、当該収容袋２に収容された電子機器７に対する振動や衝撃等を吸収して緩和することができるから、ひいては、電子機器７が故障や破損等することを防止することができる。しかも、段ボール箱８等の箱体内に、電子機器７を収容した状態の収容袋２を収容することで、クッション性を有する収容袋２を梱包材として兼用することができるから、コストを安価に抑えることが可能となり利便性にも優れる。
【００２８】
さらに、電子機器用包装体１の収容袋２に電子機器を収容しないときには、相対向する矩形状の形状保持樹脂ワイヤー６ａを相互に重ね合わせ、これに収容袋２を重ねるようにして、電子機器用包装体１をコンパクトに薄く畳むことができることから、収納性に優れ、持ち運びにも便利なものとなる。
【００２９】
さらに、収容袋２の底面に厚紙や合成樹脂シート等の下敷５を設けたことで、電子機器用包装体の自立性を向上でき、収容袋２の底面の強度を向上することにもつながる。
【００３０】
さらに、収容袋２の開口部３に開閉自在なファスナー４を設けることで、電子機器７が外部に露出しないよう密閉することができることから、例えば、雨天時に電子機器７を持ち運ぶときに、電子機器７が濡れてしまわぬよう防止することができる。
【実施例２】
【００３１】
図４及び図５は実施例２の電子機器用包装体１を示したものであり、前記実施例１と同一部分には同一符号を付し、その詳細な説明を省略する。なお、実施例２では、実施例１の形状保持樹脂ワイヤー６ａに代えて、ストロー状のプラスチック性パイプ６ｂを採用したものであり、それ以外は実施例１とほぼ同じ構成を有し、同様の作用効果を奏するが以下に主な相違点について説明する。
【００３２】
図４に示すように、複数のシートの間に挟み込むようにして設けたストロー状のプラスチック性パイプ６ｂは、収容袋２の相対向する２側面のそれぞれの外周に沿って矩形状に配置されるのだが、図５に示すように、収容袋２のストロー状のプラスチック性パイプ６ｂを覆う部分は、収容袋２の側面の厚さより寸法が長くなっている。これにより、電子機器７を収容した収容袋２を段ボール箱８内に接地させたとき、収容袋２の底面は、段ボール箱８に接地しないこととなり、当該収容袋２は、段ボール箱８内で空間上に浮いた状態となり、従来の緩衝材と同等のクッション性を持たせることが可能となる。さらに、ストロー状のプラスチック性パイプ６ｂは、衝撃・振動・圧縮を吸収し、収容袋自体のクッション性との相乗効果により、極めて高い緩衝性能を発揮する。よって、従来のような緩衝材や仕切りは不要になり、コストを安価に抑えることが可能となり梱包作業等の利便性にも優れる。
【００３３】
なお、前記ストロー状のプラスチック性パイプ６ｂの直径は、下記Ａ〜Ｅのサイズの、スマートフォン、タブレット端末器、ノート端末（ノートパソコン）等の電子機器７の場合、５ｍｍから４０ｍｍ程度が好ましく、Ｃ、Ｄ、Ｅの端末における最も好ましい寸法は１０〜２０ｍｍである。
【００３４】
【表１】
2014172623.tif 000003
※Ａ〜Ｅの電子機器７の各サイズ（縦、横、厚さ）に、括弧書きで表した数値を加算した数値が、収容袋２の内寸法である。
【００３５】
以上、本実施例を詳述したが、本発明は、前記実施例に限定されるものではなく、本発明の要旨の範囲内で種々の変形実施が可能である。例えば、収容袋２の上部等に取手を装着することで、持ち運びを容易に行うことが可能となる。さらに、収容袋２の上部に取手を装着した場合においては、段ボール箱８から電子機器７を取り出したり、収容する際、段ボール箱８と電子機器７との間の隙間が狭いと、この隙間に手が入らず電子機器７の取り出しが難くなるため、従来は隙間を広げることが行われていたが、取手の採用によりそのような不具合を解消し、簡単に電子機器７の出し入れを行うことが可能となるから利便性に優れ、隙間が小さくても収容袋２を簡単に出し入れできることから、小型化を図ることにより包装材料の削減を図ることが可能となる。また、取手の下端部を複数のシート２ａ，２ｂ間に挟み込むようにしてシートと一体化すると共に、形状保持樹脂ワイヤー６の真上に取手を配置し、形状保持樹脂ワイヤー６と取手とをさらに一体に連結するようにしてもよい。その場合、取手が収容袋２から切り裂かれ破損してしまうことがないよう強固に連結することが可能となり、電子機器７を収容した電子機器用包装体１を、収容袋２の破損に伴い落としてしまい、当該電子機器７に対して傷が付いてしまったり故障してしまったりすることを防止することが可能となる。
【００３６】
さらに、クッション性を有する外側シート２ｂとしての不織布シートとしては、ポリエステル不織布シートに限らずパルプ不織布シートであってもよく、また、内側シート２ａはポリエチレンシート代えてポリプロピレンシートとしてもよい。また、収容袋２の強度を向上するため、これらのシートの複数を積層するようにしてもよい。
【符号の説明】
【００３７】
１  電子機器用包装体
２  収容袋
２ａ  内側シート
２ｂ  外側シート
３  開口部
４  ファスナー
５  下敷
６ａ  形状保持樹脂ワイヤー
６ｂ  ストロー状のプラスチック性パイプ
７  電子機器
８  段ボール箱（箱体）
【図１】
2014172623.tif 000004
【図２】
2014172623.tif 000005
【図３】
2014172623.tif 000006
【図４】
2014172623.tif 000007
【図５】
2014172623.tif 000008